(57)【要約】      （修正有）【課題】加工液等の被処理液のロングライフ化と産業廃棄物の発生を少なくすると共に不純物の少ない処理液の品質の安定を図るために混入異物（ゴミ、鉱物油、水）を取り除く装置において、従来はゴミ取り、油水分離と各個に対応する装置があったが、１台で対応できる装置を提供する。【解決手段】被処理液を入れる処理槽１２と、この処理槽内に間隔をおいて配設された複数の電極板と、これら複数の電極板の隣合う電極板間に印加する電源装置とを備え、隣合う電極間に、柔軟性と弾力性と帯電性を有する繊維で囲まれた多数の空所からなる集塵体２０を介設し、集塵体の上部に電気的に絶縁性を有し、排出口を透設した板を上下に移動自在に設け、これにより集塵体が捕捉した塵介の量を外部から検知可能にした荷電効果を用いた廃液処理装置。【選択図】図１
2008302352.tif 000002
【特許請求の範囲】
【請求項１】
被処理液を入れる処理槽と、この処理槽内に間隔をおいて配設された複数の電極板と、これら複数の電極板の隣合う電極板間に印加する電源装置とを備え、前記隣合う電極間に、柔軟性と弾力性と帯電性を有する繊維で囲まれた多数の空所からなる集塵体を介設したことを特徴とする荷電効果を用いた廃液処理装置。
【請求項２】
前記集塵体の上部に電気的に絶縁性を有し、排出口を透設した板を上下に移動自在に設け、これにより前記集塵体が捕捉した塵介の量を外部から検知可能にしたことを特徴とする請求項１記載の荷電効果を用いた廃液処理装置。
【発明の詳細な説明】
【技術分野】
【０００１】  本発明は荷電効果を用いた廃液処理装置に関するものである。
【背景技術】
【０００２】  現在、金属加工に用いられる加工液は鉱物油、水溶性液が使用されているがこれらの液は使用していると加工粉、水分、油分の混入又は腐敗により定期的に交換され産業廃棄物として処理されている。【０００３】  従来はこの汚染物をとり除く為にフイルタ−等を用いて除去していたが、このフイルタ−が目詰まりにより交換され産業廃棄物として処理される事から二次汚染物が発生していた、又荷電凝集ろ過装置（例えば特許文献１参照）は存在していたが、最終的にフイルタ−にて汚染物を除去する為に廃棄フイルタ−は発生していた。又鉱物油に関してもＤＣ１０ＫＶの荷電を行い集塵体にて汚染物を捕捉する装置は存在していたが集塵体は使いすてであり廃棄物は発生していた。
【特許文献１】特開平７−８９６３号公報
【発明の開示】
【発明が解決しようとする課題】
【０００４】  自然環境保護の課題から廃液の汚染物を取り除き、加工液のロングライフ化による産業廃棄物の発生を少なくすると共に不純物の少ない加工液を用いて品質の安定を図り、原因となっている混入異物（ゴミ、鉱物油、水）を取り除き、従来はゴミ取り、油水分離と各個に対応する装置があったが、１台で対応できる装置はなく、従来の装置では主としてフイルターを用いていたので、図５のフイルターの概念図に示すように、メッシュサイズで捕捉できない微細な汚染物までは捕捉できず、又フイルタ−に捕捉されたゴミの集まりの程度が外部から検知できずろ過圧で検知していた。
【課題を解決するための手段】
【０００５】  被処理液を入れる処理槽と、この処理槽内に間隔をおいて配設された複数の電極板と、これら複数の電極板の隣合う電極板間に印加する電源装置とを備え、前記隣合う電極間に、柔軟性と弾力性と帯電性を有する繊維で囲まれた多数の空所からなる集塵体を介設し、前記集塵体の上部に電気的に絶縁性を有し、排出口を透設した板を上下に移動自在に設け、これにより前記集塵体が捕捉した塵介の量を外部から検知可能にしたことを特徴とする荷電効果を用いた廃液処理装置。
【発明の効果】
【０００６】  被処理液を入れた処理槽内に、対抗した電極板間に、図６に示すように帯電性を有する繊維で囲まれた多数の空所からなる集塵体を介設しているので、この対抗した電極板間に通電すると、これらの空所に吸込まれた被処理液中の汚染物表面に持っているゼータ電位が中和され汚染物どうしが凝集、粗大化すると共に帯電性を有する物質からなる集塵体が帯電するので、図４に示すように、粗大化したゴミ、塵芥、等の汚染物は集塵体に付着、捕捉される。従ってフイルタ−のようにメッシュサイズで捕捉していない為に汚染物の大きさに左右されず微細な汚染物まで捕捉することができる。【０００７】  又、油水分離を目的とする時は誘電した集塵体に油滴が付着し、ポンプで送られてくる含油水の油滴が次々と集塵体に付着して体積が大きくなり、比重差により浮上する。この時、液の流れは一度浮上している油に当たるように流れを作っている為、粗大化した油滴は浮上している油に置換され表面の油層が厚くなり最終的には油出口より排出され、処理液の油水分離が可能となる。又処理槽の液面に浮くフロートサクションを取り付けると浮上油回収装置ともなる。【０００８】  又、フイルタ−は目詰まりにより交換され産業廃棄物として処理される事から二次汚染物が発生するが、本発明による集塵体は図７に示すように、弾力性を有していて隣合う電極間の寸法より大き目の集塵体を押し込めばその反発力で固定できるので、取り付け取り外しが容易に出来、さらに柔軟性を有しているので図８に示すように、塵芥を含んだ集塵体を容易に洗浄できて再利用も可能となる。【０００８】  さらに、集塵体の上端に電気絶縁性の排水口を透設した蓋板を上下に移動自在に設け、集塵体がゴミを捕捉する程度に応じて処理液の通路が少なくなり、集塵体下部に水圧が加わり、処理槽内の水圧、水量が変化して、これに応じて集塵体が上方に移動するので、前記蓋板に検知スイッチを設ければ集塵体が捕捉したゴミの程度が検知できて、集塵体を取り外して洗浄する時期が容易にわかる。
【実施例】
【０００９】  以下図面により本発明の実施例を説明すると、図１は本発明を実施した荷電効果を用いた廃液処理装置の１実施例の全体斜視図を示し、図２は図１のＡ−Ａ矢視図を示し、図３は図１のＢ−Ｂ矢視図を示し、図６は集塵体の全体斜視図である。本実施例の廃液処理装置１０は、被処理液を入れる処理槽１２と、この処理槽１２内に間隔をおいて配設された対極した電極板１４、１６と、これら対極した電極板１４、１６に電圧を印加して被処理液に電界を生じさせる電源装置１８と、前記対極した電極板１４、１６の間に、柔軟性と弾力性と帯電性を有する繊維１５で囲まれた多数の空所からなり、電極板１４、１６の間隔より大きめの図６、図７に示される集塵体２０を電極板１４、１６の間に押込むので電極板１４、１６の反発力により固定されて介設され、この集塵体２０を構成する繊維の材質としては、柔軟性と弾力性があり、誘電率の高い材質である、ウレタン、フッソ樹脂、尿素樹脂、フエノール樹脂、ポリエステル樹脂等が使用される。【００１０】  図３に示すように、処理槽１２の内側には一方の電極１４、１４と仕切板２２が固定されて処理槽１２自体が一方の電極となり、他方の電極１６，１６は基板２４に固定され、絶縁体２６を介して処理槽１２の内側に固定され、下部には被処理液を導入する給水管２８が設けられ、この給水管２８には被処理液を送るポンプ３０と、水圧計３２と、排出管３４と、サイホン現象により液体の流出を防止するための開口３５と、開閉バルブ３６が設けられ、給水管２８には被処理液を各電極間に均等に被処理液が送入されるよう排出口３８、３８が透設され、処理槽１２の上部には分離された油を排出するよう、油収集部４０と、油排出管４２が設けられ、電圧を変化させるトランス４４が設けられている。【００１１】  図４は本実施例の要部拡大図を示し、前記の排出口３８、３８から送入され、塵芥４６、４６、油４８、４８を含む被処理液は、集塵体２０の多数の空所の中に吸込まれ、集塵体２０は帯電性を有して電極１４、１６の間に介設されている為、対抗した電極１４、１６に通電すると被処理液中の汚染物表面に持っているゼータ電位が中和され汚染物であるゴミ、塵芥４６、４６どうしが凝集、粗大化すると共に帯電性を有する繊維からなる集塵体２０が帯電するので、粗大化したゴミ、塵芥、等の汚染物５０は集塵体２０の繊維に付着、捕捉され、油滴４８は集塵体２０に付着し、ポンプ３０で送られてくる含油水の油滴４８が次々と集塵体２０に付着して粗大油滴５２となって液の流れ方向に押し出され、比重差により浮上して処理液の表面に溜まるので油水分離が可能となる。【００１２】  以上の構成であるから、ポンプ３０にて吸入された処理液は排出口３８、３８を通り処理槽１２内に分散されて電極１４、１４、１６、１６の下方向から上昇していく。電極１４、１６には帯電性を有する集塵体２０が介設され電極１４、１６に通電することにより帯電している集塵体２０にゴミ、塵芥は捕捉され混入油滴は粗大化して上昇して行き、ここを通過した液は仕切板２２の上をくぐり排出管３４へと向かい、開閉バルブ３６を調整することにより処理槽１２のの表面にできた油層の位置が変わり浮上している油は油収集部４０���、油排出管４２より排出され、油とゴミ、塵芥が除かれた処理液は排出管３４を通って排出され、これにより腐敗の原因である混入異物、鉱物油が同時に除去される。又、電極１４、１６の材質を銅にするか銅版を電極１４、１６の上にかぶせる事により銅イオンが湧き出し微量金属効果にて殺菌も可能となる。集塵体２０がゴミ、塵芥で一杯になると、隣合う電極１４、１６間に押し込まれて弾力性による反発力で固定されているだけの集塵体２０は容易に取り出すことが出来、さらに集塵体２０は柔軟性を有しているので、図８に示すように水または洗浄液で洗うことにより繰り返し使用することが可能であり、廃棄物として処理されるフイルタ−等が生じない。水溶液の荷電電圧はＡＣ５〜５０Ｖ，鉱物油に関してはＤＣ５０〜１０，１００Ｖの範囲が適していると考えられる。なお、粗大化したゴミ、塵芥、等の汚染物５０が集塵体２０に多く付着、捕捉されて、電極板１４、１６の間にブリッジができるとショートの原因になるので、一方の電極板１６（電極板１４でもよい）に塩ビ板、等、の誘電体５４を貼着している。【００１３】  さらに、集塵体２０、２０が汚染物５０を多く捕捉すると処理液の通路が少なくなり集塵体２０、２０の下部にポンプ３０の押込圧が加わるので集塵体２０、２０は浮き上ってくるので、これを防止する為、集塵体２０、２０の上部に電気的に絶縁性を有し、排出口５６、５６を透設した押え板５８を上下に移動自在に設けている。これにより集塵体２０、２０の下面と処理槽１２の底面との間に形成される空間６０の水圧が上がるので、これを利用して、以下の目詰まり検知方法がある。【００１４】  給水管２８に水圧計３２又は圧力スイッチを設けて目詰まりの程度を検知する。他の方法として押え板５８が上方に押し上げられるのでプッシュスイッチ６２を設けて押え板５８が所定の高さにまで押し上げられると電気信号が出るようにする。さらに他の方法として排出管３４にフロースイッチ６４を設けて目詰まりによる流量低下を検知する。【００１５】  なお、空間６０の水圧が上がるのを利用しない検知方法として、電極１４、１６をトランス６６と電流計６８を介して電線で結び、集塵体２０にゴミ、塵芥が付着すると電極１４、１６間に通電が起こり電流値が上がるのでこれにより目詰まりを検知する。
【図面の簡単な説明】
【図１】  本発明を実施した荷電効果を用いた廃液処理装置の１実施例の全体斜視図を示す。
【図２】  図１のＡ−Ａ矢視図を示す。
【図３】  図１のＢ−Ｂ矢視図を示す。
【図４】  本実施例の要部拡大図を示す。
【図５】  フイルターの概念図を示す。
【図６】  集塵体の全体斜視図を示す。
【図７】  集塵体を電極間に介設した状態を示す。
【図８】  集塵体の柔軟性を利用して汚染物を洗い出す状態を示す。
【符号の説明】
１０  廃液処理装置
１２  処理槽
１４  電極板
１６  電極板
１８  電源装置
２０  集塵体
２２  仕切板
２４  基板
２６  絶縁体
２８  給水管
３０  ポンプ
３２  水圧計
３４  排出管
３５  開口
３６  開閉バルブ
３８  排出口
４０  油収集部
４２  油排出管
４４  トランス
４６  ゴミ、塵芥
４８  油滴
５０  粗大化したゴミ、塵芥、等の汚染物
５２  粗大油滴
５４  誘電体
５６  排出口
５８  押え板
６０  空間
６２  プッシュスイッチ
６４  フロースイッチ
６６  トランス
６８  電流計
【図１】
2008302352.tif 000003
【図２】
2008302352.tif 000004
【図３】
2008302352.tif 000005
【図４】
2008302352.tif 000006
【図５】
2008302352.tif 000007
【図６】
2008302352.tif 000008
【図７】
2008302352.tif 000009
【図８】
2008302352.tif 000010